(57)【要約】      （修正有）【課題】結婚披露宴の演出効果をより高めることができる技術的手段を提供する。【解決手段】結婚披露宴の招待者に送られる招待状には、カードが同封されている。招待者が、スマートフォンＳＭのブラウザを立ち上げてこのカードのＵＲＬへのアクセスを指示する操作を行うと、スマートフォンＳＭに投稿受付サイトが表示される。招待者は、この投稿受付サイトから新郎新婦に宛てた祝福画像及び祝福メッセージを送信することができる。また、招待者から送られた祝福画像及び祝福メッセージが披露宴会場内のプロジェクタＰＪによりスクリーンに表示される。【選択図】図１
2014215725.tif 000002
【特許請求の範囲】
【請求項１】
結婚披露宴の新郎新婦の端末と、前記結婚披露宴の招待者の端末と、前記結婚披露宴の記念アルバムの作成者の端末と、前記結婚披露宴の会場内に設置される画像表示装置と、サーバとを含むシステムによる結婚披露宴支援方法であって、
前記結婚披露宴の当日よりも前及び前記結婚披露宴の当日に、前記招待者の端末が、前記新郎新婦への祝福メッセージ及び祝福画像を投稿受付サイトまたは電子メールメッセージを介して投稿し、前記サーバが、投稿された祝福メッセージ及び祝福画像を記憶手段内に格納する第１の行程と、
前記結婚披露宴の当日に、前記サーバが、前記画像表示装置と接続された端末からの要求に応じて、前記記憶手段内の祝福メッセージ及び祝福画像の各組を一組ずつ送信し、前記画像表示装置が、前記サーバから受信した祝福メッセージ及び祝福画像を順に表示する第２の行程と、
前記結婚披露宴の後に、前記新郎新婦の端末が、前記記憶手段内の祝福メッセージ及び祝福画像のうち記念アルバムへの掲載を要するものを投稿閲覧サイトを介して選択し、前記サーバが、前記記憶手段内の祝福メッセージ及び祝福画像の各組のうち投稿閲覧サイトを通じて選択されたものにそのことを示す識別情報を関連付ける第３の行程と、
前記作成者の端末が、前記記憶手段内の祝福メッセージ及び祝福画像であって前記識別情報が関連付けられているものを管理サイトを介して取得し、取得した祝福メッセージ及び祝福画像を印刷装置に出力することにより当該祝福メッセージ及び祝福画像が掲載された記念アルバムを生成する第４の行程と
を有することを特徴とする結婚披露宴支援方法。
【発明の詳細な説明】
【技術分野】
【０００１】
この発明は、結婚披露宴の運営を支援する技術に関する。
【背景技術】
【０００２】
結婚披露宴の運営を支援する技術が各種提案されている。たとえば、特許文献１には、結婚披露宴用の招待状、席次表、ウェルカムボードなどのウェディング印刷物を端末の操作に応じて電子的に作成し得るようにした技術の開示がある。この文献１に開示された電子生成制御装置は、ウェディング印刷物の商品カタログ一覧表データベース、種類毎のウェディング印刷物の基本的デザインの商品見本写真データベース、基本的デザイン商品毎のカラー配色・デザイン細目についてのそれぞれのパターン写真データベース、利用者がウェディング印刷物を電子商取引するために登録用Ｗｅｂページ入力画面で入力した登録データを記録する利用者登録データベース、利用者が基本的デザイン商品の一つを選択したとき、その商品に対してカラー及びデザインを選択し、選択商品に文字・写真の原稿を入力するための原稿入力ファイル及びマニュアルファイルを商品毎に記録した原稿入力用データベース、利用者が原稿入力用ファイルを使用して発注した利用者発注データベースを具備する。この文献１の電子生成制御装置は、利用者の操作に従い、各種データベース内における該当の情報を取出し、この取り出した情報を加工することによりウェディング印刷物を生成するようになっている。
【先行技術文献】
【特許文献】
【０００３】
【特許文献１】特開２００１−２９０８９８号公報
【発明の概要】
【発明が解決しようとする課題】
【０００４】
ところで、結婚披露宴の招待者の中には、結婚披露宴の当日よりも前に新郎新婦に祝福のメッセージを送りたい、という希望を持つ者も多く居る。このため、結婚披露宴の前から結婚披露宴の当日までの間に招待者から新郎新婦への祝福メッセージや祝福画像を募り、結婚披露宴当日にこれらの情報を結婚披露宴会場内で公開する仕組みを構築することができれば、結婚披露宴の演出効果をより高めることができるはずであるが、このようなシステムは未だ実用化されていない。
【０００５】
本発明は、このような課題に鑑みてなされたものであり、結婚披露宴の演出効果をより高めることができる技術的手段を提供することを目的とする。
【課題を解決するための手段】
【０００６】
上記課題を解決するため、本発明は、結婚披露宴の新郎新婦の端末と、前記結婚披露宴の招待者の端末と、前記結婚披露宴の記念アルバムの作成者の端末と、前記結婚披露宴の会場内に設置される画像表示装置と、サーバとを含むシステムによる結婚披露宴支援方法であって、前記結婚披露宴の当日よりも前及び前記結婚披露宴の当日に、前記招待者の端末が、前記新郎新婦への祝福メッセージ及び祝福画像を投稿受付サイトまたは電子メールメッセージを介して投稿し、前記サーバが、投稿された祝福メッセージ及び祝福画像を記憶手段内に格納する第１の行程と、前記結婚披露宴の当日に、前記サーバが、前記画像表示装置と接続された端末からの要求に応じて、前記記憶手段内の祝福メッセージ及び祝福画像の各組を一組ずつ送信し、前記画像表示装置が、前記サーバから受信した祝福メッセージ及び祝福画像を順に表示する第２の行程と、前記結婚披露宴の後に、前記新郎新婦の端末が、前記記憶手段内の祝福メッセージ及び祝福画像のうち記念アルバムへの掲載を要するものを投稿閲覧サイトを介して選択し、前記サーバが、前記記憶手段内の祝福メッセージ及び祝福画像の各組のうち投稿閲覧サイトを通じて選択されたものにそのことを示す識別情報を関連付ける第３の行程と、前記作成者の端末が、前記記憶手段内の祝福メッセージ及び祝福画像であって前記識別情報が関連付けられているものを管理サイトを介して取得し、取得した祝福メッセージ及び祝福画像を印刷装置に出力することにより当該祝福メッセージ及び祝福画像が掲載された記念アルバムを生成する第４の行程とを有する結婚披露宴支援方法を提供する。
【０００７】
本発明では、結婚披露宴の招待者は、サーバを通じて新郎新婦に祝福画像及び祝福メッセージを送ることができるようになっている。また、本発明では、サーバに蓄積された祝福画像及び祝福メッセージが披露宴会場内の画像表示装置に表示されるようになっている。また、本発明では、サーバに蓄積された祝福画像及び祝福メッセージのうち新郎新婦によって選択されたものを掲載した記念アルバムが自動生成されるようになっている。よって、本発明によると、結婚披露宴の演出効果を高めることができる。
【図面の簡単な説明】
【０００８】
【図１】本発明の一実施形態である結婚披露宴支援方法を実現するシステムの構成を示す図である。
【図２】同システムのサーバのデータベースのデータ構造図である。
【図３】同システムの結婚披露宴前投稿受付処理を示すフローチャートである。
【図４】同システムにおいて結婚披露宴の招待者に送られるカードＣ１を示す図である。
【図５】同システムにおける電子メール編集画面を示す図である。
【図６】同システムにおける投稿受付用ログイン画面を示す図である。
【図７】同システムにおける投稿受付サイトを示す図である。
【図８】同システムにおける投稿受付サイトを示す図である。
【図９】同システムの結婚披露宴当日投稿受付処理を示すフローチャートである。
【図１０】同システムにおける結婚披露宴の会場の各席に置かれるカードＣ２を示す図である。
【図１１】同システムにおける撮影投稿画面を示す図である。
【図１２】同システムにおけるフレーム選択画面を示す図である。
【図１３】同システムにおけるメッセージ入力画面を示す図である。
【図１４】同システムにおける映写支援処理を示すフローチャートである。
【図１５】同システムにおける会場運営事業者対応処理を示すフローチャートである。
【図１６】同システムにおける会場運営事業者用ログイン画面を示す図である。
【図１７】同システムにおける会場運営事業者用管理サイトを示す図である。
【図１８】同システムにおける会場運営事業者用管理サイトの新規登録画面を示す図である。
【図１９】同システムにおける会場運営事業者用管理サイトの登録変更画面を示す図である。
【図２０】同システムにおける掲載対象選択支援処理を示すフローチャートである。
【図２１】同システムにおける投稿閲覧サイトを示す図である。
【図２２】同システムにおけるアルバム作成事業者対応処理を示すフローチャートである。
【図２３】同システムにおけるアルバム作成事業者用ログイン画面を示す図である。
【図２４】同システムにおけるアルバム作成事業者用管理サイトを示す図である。
【図２５】同システムにおけるアルバム作成事業者用管理サイトの披露宴選択画面を示す図である。
【図２６】同システムにおけるアルバム作成事業者用管理サイトのダウンロード画面を示す図である。
【発明を実施するための形態】
【０００９】
以下、図面を参照しつつ本発明の実施形態について説明する。図１は、本発明の一実施形態である結婚披露宴支援方法を実現するシステム１の構成を示す図である。図１に示すように、このシステム１は、スマートフォンＳＭ、パーソナルコンピュータＰＣ、印刷装置ＰＲＮＴ、プロジェクタＰＪ、サーバ１０を有する。スマートフォンＳＭは、結婚披露宴の新郎新婦及び招待者が使用する端末である。パーソナルコンピュータＰＣは、結婚披露宴の支援事業者（以下、披露宴支援事業者）、結婚披露宴の会場となるホテル等を運営する事業者（以下、会場運営事業者）、及び結婚披露宴の記念アルバムの作成を請け負う事業者（以下、アルバム作成事業者）が利用する端末である。アルバム作成事業者のパーソナルコンピュータＰＣは、印刷装置ＰＲＮＴと接続されている。プロジェクタＰＪは、結婚披露宴の会場に設置されたスクリーンに向けて画像を映写する画像表示装置である。サーバ１０は、披露宴支援事業者による管理の下に各種ウェブサービスを提供する装置である。
【００１０】
サーバ１０は、通信インターフェース１１、ＣＰＵ１２、ＲＡＭ１３、ＲＯＭ１４、ハードディスク１５を有する。通信インターフェース１１は、インターネット９０に接続された装置との間でデータを送受信する。ＣＰＵ１２は、ＲＡＭ１３をワークエリアとして利用しつつ、ＲＯＭ１４やハードディスク１５に記憶された各種プログラムを実行する。ＲＯＭ１４には、ＩＰＬ（Initial Program Loader）などが記憶されている。ハードディスク１５には、データベースＤＢと結婚披露宴支援プログラムＰＲが記憶されている。
【００１１】
図２は、データベースＤＢのデータ構造を概念的に示す図である。データベースＤＢは、各々が開催を予定する結婚披露宴と対応する複数のテーブルＴＢ−ｍ（ｍ＝１〜Ｍ、ｍは結婚披露宴を示すインデックス、Ｍは結婚披露宴の総数）を有している。データベースＤＢにおける１つの結婚披露宴と対応するテーブルＴＢ−ｍの各レコードは、「ＩＤ」、「開催日」、「開催時間」、「人数（新郎側）」、「人数（新婦側）」、「人数（合計）」、「人数（合計）」、「新郎新婦両家」、「会場」、「メッセージ」、「写真」、「掲載要否」の１１個のフィールドを有する。「ＩＤ」のフィールドは、結婚披露宴に固有の識別情報ＩＤＹ（６ケタの固有の文字列）を示す。「開催日」のフィールドは、結婚披露宴の開催日を示す。「開催時間」のフィールドは、結婚披露宴の開催時間を示す。「人数（新郎側）」のフィールドは、結婚披露宴における新郎側の招待者の人数を示す。「人数（新婦側）」のフィールドは、結婚披露宴における新婦側の招待者の人数を示す。「人数（合計）」のフィールドは、結婚披露宴における新郎側の招待者と新婦側の招待者の合計人数を示す。「新郎新婦両家」のフィールドは、結婚披露宴における新郎の性と新婦の性を示す。「会場」のフィールドは、結婚披露宴の会場となる部屋の名称を示す。「メッセージ」のフィールドは、結婚披露宴の招待者から新郎新婦への祝福メッセージ（テキストデータ）を示す。「写真」のフィールドは、結婚披露宴の招待者から新郎新婦への祝福画像（画像データ）を示す。「掲載要否」のフィールドは、結婚披露宴の新郎新婦が祝福メッセージ及び祝福画像を記念アルバムの掲載対象としたことを示す識別情報ＩＤＡＬＢＭを示す。
【００１２】
結婚披露宴支援プログラムＰＲは、次の４つの機能を有する。
ａ１．投稿受付機能
これは、招待者のスマートフォンＳＭからの要求に応じて、投稿受付サイトの画面データ（ＨＴＭＬ（Hyper Text Markup Language）データ）を返信し、招待者が投稿受付サイトまたは電子メールメッセージを介して投稿した祝福メッセージ及び祝福画像を受信し、受信した祝福メッセージ及び祝福画像をデータベースＤＢ内の該当のテーブルＴＢ−ｍに蓄積する機能である。
ｂ１．映写支援機能
これは、結婚披露宴の会場内におけるプロジェクタＰＪに接続されたパーソナルコンピュータＰＣからの要求に応じて、データベースＤＢ内の該当のテーブルＴＢ−ｍに蓄積された祝福メッセージ及び祝福画像の各組を読み出し、これらの祝福メッセージ及び祝福画像を会場内のパーソナルコンピュータＰＣに１組ずつ送信する機能である。
ｃ１．掲載対象選択支援機能
これは、新郎新婦のスマートフォンＳＭからの要求に応じて、投稿閲覧サイトの画面データを返信し、新郎新婦がこの投稿閲覧サイトを介して選択した祝福メッセージ及び祝福画像を記念アルバムの掲載対象とし、データベースＤＢ内の該当のテーブルＴＢ−ｍにおける掲載対象とされた祝福メッセージ及び祝福画像と関連付けて識別情報ＩＤＡＬＢＭを記憶する機能である。
ｄ１．掲載対象提供機能
これは、アルバム作成事業者のパーソナルコンピュータＰＣからの要求に応じて、データベースＤＢ内の該当のテーブルＴＢ−ｍに蓄積された祝福メッセージ及び祝福画像の各組のうち識別情報ＩＤＡＬＢＭが関連付けられているものを読み出し、読み出した祝福メッセージ及び祝福画像をアルバム作成事業者のパーソナルコンピュータＰＣに送信する機能である。
【００１３】
次に、本実施形態の動作を説明する。本実施形態の処理は、結婚披露宴前投稿受付処理、結婚披露宴当日投稿受付処理、映写支援処理、会場運営事業者対応処理、掲載対象選択支援処理、アルバム作成事業者対応処理を有する。
【００１４】
図３は、結婚披露宴前投稿受付処理を示すフローチャートである。この処理は、結婚披露宴の当日よりも前に実行される。本実施形態では、結婚披露宴の招待者に宛てて郵送される招待状に、披露宴支援事業者のサービスの内容を記したカードＣ１が同封される。図４は、このカードＣ１を示す図である。このカードＣ１の上段には、披露宴支援事業者のサービスのサービス名称である「Ｌｉｖｅ  Ｗｅｄｄｉｎｇ」の文字が記されている。その下には、「みなさまからのお祝いのお写真、メッセージは専用ブログでご覧いただけます。」の文字が記されている。その下には、「ライブウェディングは、あなたからのメッセージや写真をおふたりに送ったり、ブログ内でみなさんから送られた写真を見ることができるサービスです。」の文字が記されている。その下には、「おふたりへの温かいメッセージをお待ちしております。」の文字が記されている。その下には、「結婚式当日にメッセージを送っていただいた方には抽選でステキなことがあるかも・・・」の文字が記されている。
【００１５】
カードＣ１の下部左側には、「携帯からアクセス、右記のＱＲコード（登録商標）を読み取ってください」の文字が記されている。その右には、祝福メッセージ及び祝福画像の投稿先の電子メールアドレスのＱＲコード（登録商標）が記されている。カードＣ１の下部中央には、「ＰＣからアクセス」という文字が記されている。その下には、投稿受付サイトのＵＲＬ（図４の例では、「http://live-wedding.jp」）が記されている。カードＣ１の下部右側には、「ログインＩＤ」の文字が記されている。その下には、招待者が招待されている結婚披露宴の識別情報ＩＤＹ（図４の例では、「Lw1234」）が記されている。
【００１６】
招待者は、新郎新婦に祝福メッセージ及び祝福画像を送りたい場合は、自身のスマートフォンＳＭのカメラでカードＣ１上のＱＲコード（登録商標）を撮影するか、スマートフォンＳＭのブラウザを立ち上げてカードＣ１上のＵＲＬへのアクセスを指示する操作を行う。招待者のスマートフォンＳＭは、カードＣ１上のＱＲコード（登録商標）が撮影されると（Ｓ１００：Ｙｅｓ）、図５に示すように、ＱＲコード（登録商標）を変換した電子メールアドレス（図５の例では、toukou1234＠live-wedding.jp）が宛先とされた電子メール編集画面を表示させる（Ｓ１１０）。招待者は、この編集画面の本文入力欄３１に祝福メッセージ（図５の例では、ご結婚おめでとう！結婚披露宴楽しみにしています。）を入力するとともに、撮影済みの画像の一つを祝福画像として添付し、「送信」のボタン３２を選択する。
【００１７】
招待者のスマートフォンＳＭは、「送信」のボタン３２が選択されると（Ｓ１２０：Ｙｅｓ）、祝福メッセージ及び祝福画像を含む電子メールメッセージを送信する（Ｓ１３０）。この電子メールメッセージはサーバ１０に送られる。サーバ１０は、電メールメッセージを受信すると、電子メールメッセージの送信元の招待者が招待されている結婚披露宴の識別情報ＩＤＹ、電子メールメッセージ内の祝福メッセージと祝福画像を含む新規レコードをデータベースＤＢ内の該当のテーブルＴＢ−ｍに追加する（Ｓ１４０）。
【００１８】
招待者のスマートフォンＳＭは、カードＣ１上のＵＲＬへのアクセスを指示する操作が行われると（Ｓ２００：Ｙｅｓ）、投稿受付サイトの閲覧を求めるメッセージ（ＨＴＴＰ（Hyper Text Transfer Protocol）リクエスト）を送信する（Ｓ２１０）。このメッセージはサーバ１０に送られる。サーバ１０は、メッセージを受信すると、投稿受付用ログイン画面の画面データを返信する（Ｓ２２０）。投稿受付用ログイン画面の画面データは招待者のスマートフォンＳＭに送られる。
【００１９】
招待者のスマートフォンＳＭは、投稿受付用ログイン画面の画面データを受信すると、投稿受付用ログイン画面を表示する（Ｓ２３０）。図６に示すように、投稿受付用ログイン画面には、「招待状に記載されているＩＤをご入力ください。おしあわせなお二人にメッセージと写真が送れます」の文字が記されている。その下には、「ＩＤ」の文字が記されている。その右にはＩＤ入力欄４１がある。その下には「認証」と記したボタン４２がある。
【００２０】
招待者は、カードＣ１にログインＩＤとして記されている６桁の文字をＩＤ入力欄４１に入力し、「認証」のボタン４２を選択する。この操作が行われると（Ｓ２４０：Ｙｅｓ）、スマートフォンＳＭは、ＩＤ入力欄４１に入力された６桁の文字を識別情報ＩＤＹとして含むメッセージを送信する（Ｓ２５０）。このメッセージはサーバ１０に送られる。サーバ１０は、メッセージを受信すると、メッセージ内の識別情報ＩＤＹがテーブルＴＢ−ｍ内のものと一致するか否かを判定し、メッセージ内の識別情報ＩＤＹがテーブルＴＢ−ｍ内のものと一致する場合（Ｓ２６０：Ｙｅｓ）、投稿受付サイトの画面データを返信する（Ｓ２７０）。投稿受付サイトの画面データは招待者のスマートフォンＳＭに送られる。
【００２１】
招待者のスマートフォンＳＭは、投稿受付サイトの画面データを受信すると、投稿受付サイトを表示する（Ｓ２８０）。図７に示すように、投稿受付サイトの中央には投稿入力欄５１がある。投稿入力欄５１の下には写真入力欄５２がある。写真入力欄５２の下には「投稿」と記したボタン５３がある。図８に示すように、招待者は、投稿受付サイトの投稿入力欄５１に祝福メッセージ（図８の例では、「ご結婚おめでとうございます。披露宴楽しみにしています。」）を入力するとともに撮影済みの画像の一つを写真入力欄５２に祝福画像として添付し、「投稿」のボタン５３を選択する。
【００２２】
招待者のスマートフォンＳＭは、「投稿」のボタン５３を選択する操作が行われると（Ｓ２９０：Ｙｅｓ）、祝福メッセージ及び祝福画像を含むメッセージを送信する（Ｓ３００）。このメッセージはサーバ１０に送られる。サーバ１０は、メッセージを受信すると、メッセージの送信元の招待者が招待されている結婚披露宴の識別情報ＩＤＹ、電子メールメッセージ内の祝福メッセージと祝福画像を含む新規レコードをデータベースＤＢの該当のテーブルＴＢ−ｍに追加する（Ｓ３１０）。
【００２３】
図９は、結婚披露宴当日投稿受付処理を示すフローチャートである。この処理は、結婚披露宴当日における披露宴の最中に行われる。本実施形態では、結婚披露宴の会場における各招待者の席に、披露宴支援事業者のサービスの内容を記したカードＣ２が置かれる。図１０は、このカードＣ２を示す図である。このカードＣ２の上段には、「Ｌｉｖｅ  Ｗｅｄｄｉｎｇ Ａｐｐｌｉｃａｔｉｏｎ  ライブウェディングの利用方法」の文字が記されている。カードＣ２の中段左側には、「スマートフォンの場合」、「１ iphonの場合は「アップルストア」、Androidの場合は「playストア」へアクセス」、「２ 「ライブウェディング」で検索」、「３ ライブウェディングアプリをダウンロード」、「４ ダウンロード後、アプリを起動」、「５ ６桁のＩＤを入力し、ログイン後は画面の案内に従って、投稿を行ってください」の各文字が記されている。
【００２４】
カードＣ２の中段右側には、「携帯メールの場合」、「１ 携帯メールの宛先にメールアドレス［xxxxxxxx.com］を入力または、左記ＱＲコード（登録商標）からメール送信画面へ」、「２
メッセージを入力」、「３ 写真を送る場合は写真を添付  ※写真はブログ表示の都合上、横４８０×縦８００ピクセル（携帯待ち受けサイズ相当）以下の写真を推奨します」、「４ メッセージを送信  投稿完了！  ブログにメッセージが掲載されます」の各文字と、祝福メッセージ及び祝福画像の投稿先の電子メールアドレスのＱＲコード（登録商標）が記されている。
【００２５】
カードＣ２の下段には、「皆様からの嬉しいメッセージがかんたんにご覧いただけます！」、「１  http://live-wedding.jpにアクセス」、「２  ６桁のＩＤ[Lw1234]を入力」、「３  皆様からＵＰされた写真とメッセージがご覧いただけます」の各文字が記されている。
【００２６】
招待者は、結婚披露宴の最中に新郎新婦に祝福メッセージ及び祝福画像を送りたい場合は、自身のスマートフォンＳＭにライブウェディングアプリをダウンロードしてこれを立ち上げるか、自身のスマートフォンＳＭのカメラでカードＣ２上のＱＲコード（登録商標）を撮影するか、スマートフォンＳＭのブラウザを立ち上げてカードＣ２上のＵＲＬへのアクセスを指示する操作を行う。
【００２７】
招待者のスマートフォンＳＭは、ライブウェディングアプリを立ち上げる操作が行われると（Ｓ４００：Ｙｅｓ）、撮影投稿画面を表示させる（Ｓ４１０）。図１１は、撮影投稿画面を示す図である。撮影投稿画面にはカメラの撮影画像ＩＭ（図１１の例では新婦の撮影画像）と撮影ボタン６２が表示されている。招待者は、スマートフォンＳＭのカメラの画角内に新郎新婦の姿を収めて撮影ボタン６２をタッチする操作を行う。
【００２８】
招待者のスマートフォンＳＭは、撮影ボタン６２をタッチする操作が行わると（Ｓ４２０：Ｙｅｓ）、フレーム選択画面を表示する（Ｓ４３０）。図１２は、フレーム選択画面を示す図である。フレーム選択画面の中央には、撮影ボタン６２がタッチされた時点におけるカメラの撮影画像ＩＭを予め準備された複数種類のフレームＦＲ−ｋ（ｋ＝１〜Ｋ、ｋはフレームを示すインデックス、Ｋはフレームの種類の総数）の１つ（図１２の表示例ではフレームＦＲ−３）に嵌め込んだ合成画像ＣＩＭが表示されている。合成画像ＣＩＭの下には、フレームＦＲ−ｋ（ｋ＝１〜Ｋ）の縮小画像ＦＲ’−ｋ（ｋ＝１〜Ｋ）が横方向に並べて配置されている。この縮小画像ＦＲ’−ｋ（ｋ＝１〜Ｋ）は、指で触れて左右に動かす操作（フリック操作）を行うことにより左右方向にスクロールするようになっている。縮小画像ＦＲ’−ｋ（ｋ＝１〜Ｋ）の下には、「キャンセル」と記したボタン６４及び「決定」と記したボタン６５がある。招待者は、フレームＦＲ−ｋ（ｋ＝１〜Ｋ）の中からカメラの撮影画像ＩＭを埋め込むものを選択し、「決定」のボタン６５をタッチする。
【００２９】
招待者のスマートフォンＳＭは、「決定」のボタン６５がタッチされると（Ｓ４４０：Ｙｅｓ）、メッセージ入力画面を表示する（Ｓ４５０）。図１３は、メッセージ入力画面を示す図である。メッセージ入力画面の中央には、ボタン６５の選択時点の合成画像ＣＩＭが表示されている。合成画像ＣＩＭの下には、文字入力欄６６が表示されている。文字入力欄の下には、「キャンセル」と記したボタン６４及び「投稿」と記したボタン６７がある。招待者は、文字入力欄６６に文字（図１３の例では、「愛ちゃん！おめでとう〜！」）を入力し、「投稿」のボタン６７をタッチする操作を行う。
【００３０】
招待者のスマートフォンＳＭは、「投稿」のボタン６７がタッチされると（Ｓ４６０：Ｙｅｓ）、フレーム選択画面の入力欄６６の入力文字を祝福メッセージとするとともに同画面の合成画像ＣＩＭを祝福画像とし、この祝福メッセージと祝福画像とを含むメッセージを送信する（Ｓ４７０）。このメッセージはサーバ１０に送られる。サーバ１０は、メッセージを受信すると、メッセージの送信元の招待者が招待されている結婚披露宴の識別情報ＩＤＹ、電子メールメッセージ内の祝福メッセージと祝福画像を含む新規レコードをデータベースＤＢの該当のテーブルＴＢ−ｍに追加する（Ｓ４８０）。
【００３１】
また、招待者がスマートフォンＳＭによりカードＣ２上のＱＲコード（登録商標）を撮影すると（Ｓ４９０：Ｙｅｓ）、結婚披露宴前投稿受付処理におけるステップＳ１１０〜Ｓ１４０と同様の処理が行われる。この一連の処理が行われることにより、招待者が結婚披露宴の最中に作成した祝福メッセージ及び祝福画像が電子メールメッセージとしてサーバ１０に送られ、サーバ１０のデータベースＤＢの該当のテーブルＴＢ−ｍに蓄積される。また、招待者がスマートフォンＳＭのブラウザを立ち上げてカードＣ２上のＵＲＬへのアクセスを指示すると（Ｓ５００：Ｙｅｓ）、結婚披露宴前投稿受付処理におけるステップＳ２１０〜ステップＳ３１０と同様の処理が行われる。この一連の処理が行われることにより、招待者が結婚披露宴の最中に作成した祝福メッセージ及び祝福画像が投稿受付サイトを介してサーバ１０に送られ、サーバ１０のデータベースＤＢの該当のテーブルＴＢ−ｍに蓄積される。
【００３２】
図１４は、映写支援処理を示す図である。この処理は、結婚披露宴の当日における披露宴の最中に行われる。本実施形態では、披露宴支援事業者は、結婚披露宴の会場に自身のパーソナルコンピュータＰＣを持参してパーソナルコンピュータＰＣとプロジェクタＰＪを接続する。その上で、パーソナルコンピュータＰＣにおける所定のアプリケーションを立ち上げ、祝福メッセージ及び祝福画像の映写を指示する操作を行う。
【００３３】
この操作が行われると（Ｓ８００：Ｙｅｓ）、披露宴支援事業者のパーソナルコンピュータＰＣは、祝福メッセージ及び祝福画像を要求するメッセージを送信する（Ｓ８１０）。このメッセージはサーバ１０に送られる。サーバ１０は、メッセージを受信すると、配信処理を行う（Ｓ８２０）。この配信処理では、サーバ１０は、データベースＤＢにおける該当の結婚披露宴のテーブルＴＢ−ｍに記憶されている祝福メッセージ及び祝福画像の各組を読み出し、これらの祝福メッセージ及び祝福画像を１組ずつ送信する処理を繰り返す。
【００３４】
披露宴支援事業者のパーソナルコンピュータＰＣは、映写処理を行う（Ｓ８３０）。映写処理では、披露宴支援事業者のパーソナルコンピュータＰＣは、サーバ１０から祝福メッセージ及び祝福画像を受信する度にその祝福メッセージ及び祝福画像の画像信号をプロジェクタＰＪに供給する。プロジェクタＰＪは、披露宴支援事業者のパーソナルコンピュータＰＣの出力信号が示す画像を披露宴会場内のスクリーンに映す処理を行う。
【００３５】
ここで、サーバ１０は、結婚披露宴の最中に映写処理と上述の結婚披露宴当日投稿受付処理を並行して行う。よって、結婚披露宴の最中に招待者のスマートフォンＳＭから祝福メッセージ及び祝福画像がサーバ１０に送信された場合、その新規な祝福メッセージ及び祝福画像がプロジェクタＰＪの映写対象に追加される。
【００３６】
図１５は、会場運営事業者対応処理を示すフローチャートである。本実施形態では、披露宴支援事業者は、会場運営事業者に固有のＩＤとパスワードを発行している。会場運営事業者は、自らが経営するホテルを会場とする結婚披露宴の管理情報を確認したい場合は、自身のパーソナルコンピュータＰＣのブラウザを立ち上げ、会場用管理サイトのＵＲＬへのアクセスを指示する操作を行う。
【００３７】
会場運営事業者のパーソナルコンピュータＰＣは、この操作が行われると（９００：Ｙｅｓ）、会場用管理サイトの閲覧を求めるメッセージを送信する（Ｓ９１０）。このメッセージはサーバ１０に送られる。サーバ１０は、メッセージを受信すると、会場用ログイン画面の画面データを返信する（Ｓ９２０）。会場用ログイン画面の画面データは招待者のスマートフォンＳＭに送られる。
【００３８】
会場運営事業者のパーソナルコンピュータＰＣは、会場用ログイン画面の画面データを受信すると、会場用ログイン画面を表示する（Ｓ９３０）。図１６に示すように、会場用ログイン画面には、「会場用管理画面」の文字が記されている。その下には、「ＩＤ」の文字が記されている。その下には、「パスワード」の文字が記されている。「ＩＤ」の文字の右にはＩＤ入力欄１４１がある。「パスワード」の文字の右にはパスワード入力欄１４２がある。その下には、「認証」と記したボタン１４３がある。
【００３９】
会場運営事業者は、自身のＩＤ及びパスワードをＩＤ入力欄１４１及びパスワード入力欄１４２に入力し、「認証」のボタン１４３を選択する。この操作が行われると（Ｓ９４０：Ｙｅｓ）、会場運営事業者のパーソナルコンピュータＰＣは、ＩＤ入力欄１４１内のＩＤとパスワード入力欄１４２内のパスワードとを含むメッセージを送信する（Ｓ９５０）。このメッセージはサーバ１０に送られる。サーバ１０は、メッセージを受信すると、メッセージ内のＩＤ及びパスワードが会場運営事業者のものと一致するか否かを判定し、メッセージ内のＩＤ及びパスワードが会場運営事業者のものと一致する場合（Ｓ９６０：Ｙｅｓ）、会場用管理サイトの画面データを返信する（Ｓ９７０）。会場用管理サイトの画面データは会場運営事業者のパーソナルコンピュータＰＣに送られる。
【００４０】
会場運営事業者のパーソナルコンピュータＰＣは、会場用管理サイトの画面データを受信すると、会場用管理サイトを表示する（Ｓ９８０）。図１７は、会場用管理サイトを示す図である。この会場用管理サイトには、「○○○○（○○○○は会場運営事業者の名称）様用  管理画面」の文字が記されている。その下には、「新規作成」と記したボタン１４４が表示されている。その下には、結婚披露宴の管理情報（具体的には、結婚披露宴の会場、開催日時、人数、新郎新婦両家の名称、及び各結婚披露の識別情報ＩＤＹ）及び「詳細」と記したボタン１４７−ｇ（ｇ＝１〜Ｇ、ｇは、開催を予定する結婚披露宴を示すインデックス、Ｇは開催を予定する結婚披露宴の総数、図１７の例では、Ｇ＝３）のセットを含むリスト１４５が表示されている。その下には、「ログアウト」と記したボタン１４６が表示されている。
【００４１】
この会場用管理サイトにおいて、会場運営事業者は、結婚披露宴の管理情報の新規登録、および登録済みの管理情報の変更を行うことができる。より具体的に説明すると、会場運営事業者は、結婚披露宴の管理情報の新規登録を行う場合は、「新規作成」と記したボタン１４４を選択する。この操作が行われると（Ｓ９９０：Ｙｅｓ）、会場運営事業者のパーソナルコンピュータＰＣは、新規登録画面を表示させる（Ｓ１０００）。図１８に示すように、新規登録画面には、「披露宴」、「開催日」、「開催時間」、「参加人数（新郎）」、「参加人数（新婦）」、「参加人数（合計）」、および「アクセスＩＤ」の各文字が記されている。「披露宴」、「開催日」、「開催時間」、「参加人数（新郎）」、「参加人数（新婦）」、「参加人数（合計）」の各文字の右側の欄は空欄になっている。「アクセスＩＤ」の文字の右の欄には、新規に採番された識別応報ＩＮＹが記されている。登録画面の下段には、「登録」と記したボタン１４９及び「キャンセル」と記したボタ１５０が表示されている。会場運営事業者は、この画面における各文字の右の各欄に該当の情報を入力した後、「登録」のボタン１４９を選択する。
【００４２】
この操作が行われると（Ｓ１０１０：Ｙｅｓ）、会場運営事業者のパーソナルコンピュータＰＣは、「披露宴」、「開催日」、「開催時間」、「参加人数（新郎）」、「参加人数（新婦）」、「参加人数（合計）」、および「アクセスＩＤ」の文字の右の各欄の登録情報を含むメッセージをサーバ１０に送信する（Ｓ１０２０）。このメッセージはサーバ１０に送られる。
【００４３】
サーバ１０は、電子メールメッセージを受信すると、データベースＤＢ内に新たな結婚披露宴のテーブルＴＢ−ｍを生成し、この新規テーブルＴＢ−ｍの「ＩＤ」、「開催日」、「開催時間」、「参加人数（新郎）」、「参加人数（新婦）」、「参加人数（合計）」、「新郎新婦両家」の各フィールドにメッセージ内の登録情報を書き込む（Ｓ１０３０）。
【００４４】
また、会場運営事業者は、登録済みの管理情報を変更する場合は、ボタン１４７−ｇ（ｇ＝１〜Ｇ）のうち変更対象の結婚披露宴と対応するものを選択する。この操作が行われると（Ｓ１０４０：Ｙｅｓ）、会場運営事業者のパーソナルコンピュータＰＣは、登録変更画面を表示させる（Ｓ１０５０）。図１９に示すように、登録変更画面における「披露宴」、「開催日」、「開催時間」、「参加人数（新郎）」、「参加人数（新婦）」、「参加人数（合計）」、および「アクセスＩＤ」の各文字の右の欄には、選択されたボタン１４７−ｊと対応する結婚披露宴の管理情報が表示されている。その下には、「登録」と記したボタン１４９及び「キャンセル」と記したボタン１５０が表示されている。会場運事業者は、登録変更画面における所望の登録情報の内容を書き換えた上で、「登録」のボタン１４９を選択する。
【００４５】
この操作が行われると（Ｓ１０６０：Ｙｅｓ）、会場運営事業者のパーソナルコンピュータＰＣは、「披露宴」、「開催日」、「開催時間」、「参加人数（新郎）」、「参加人数（新婦）」、「参加人数（合計）」、および「アクセスＩＤ」の文字の右の各欄の登録情報を含むメッセージをサーバ１０に送信する（Ｓ１０７０）。このメッセージはサーバ１０に送られる。
【００４６】
サーバ１０は、電子メールメッセージを受信すると、データベースＤＢ内のテーブルＴＢ−ｍ（ｍ＝１〜Ｍ）の中から選択されたボタン１４７−ｊと対応する結婚披露宴のものを選び、このテーブルＴＢ−ｍの「ＩＤ」、「新郎新婦両家」、「開催日」、「開催時間」、「参加人数（新郎）」、「参加人数（新婦）」、「参加人数（合計）」、「新郎新婦両家」の各フィールドにメッセージ内の情報を上書きする（Ｓ１０８０）。
【００４７】
図２０は、掲載対象選択支援処理を示すフローチャートである。本実施形態では、新郎新婦は、結婚披露宴の後、自身のスマートフォンＳＭのブラウザを立ち上げ、投稿閲覧サイトのＵＲＬへのアクセスを指示する操作を行う。
【００４８】
この操作が行われると（Ｓ１１００：Ｙｅｓ）、新郎新婦のスマートフォンＳＭは、投稿閲覧サイトを要求するメッセージを送信する（Ｓ１１１０）。このメッセージはサーバ１０に送られる。サーバ１０は、メッセージを受信すると、データベースＤＢ内における該当のテーブルＴＢ−ｍに記憶されている祝福メッセージ及び祝福画像の各組を読み出し、これらを埋め込んだ投稿閲覧サイトの画面データを生成し、この画面データを返信する（Ｓ１１２０）。投稿閲覧サイトの画面データは新郎新婦のスマートフォンＳＭに送られる。
【００４９】
新郎新婦のスマートフォンＳＭは、投稿閲覧サイトの画面データを受信すると、投稿閲覧サイトを表示する（Ｓ１１３０）。図２１は、投稿閲覧サイトを示す図である。この投稿閲覧サイトには、招待状の送付から結婚披露宴の終了までの間に招待者から投稿された祝福メッセージ及び祝福画像の各組における祝福画像の上に祝福メッセージを連結した画像７１−ｎ（ｎ＝１〜Ｎ、ｎは、祝福メッセージ及び祝福画像の組を示すインデックス、Ｎは、祝福メッセージ及び祝福画像の組の総数）、及び「送信」と記したボタン７２が表示されている。
【００５０】
新郎新婦は、投稿閲覧サイトに表示されている画像７１−ｎ（ｎ＝１〜Ｎ）の中から記念アルバムに掲載するものを選択した後に、「送信」のボタン７２をタッチする。
【００５１】
この操作が行われると（Ｓ１１４０：Ｙｅｓ）、新郎新婦のスマートフォンＳＭは、投稿閲覧サイトにおいて選択された祝福メッセージ及び祝福画像を含むメッセージをサーバ１０に送信する（Ｓ１１５０）。
【００５２】
サーバ１０は、メッセージを受信すると、データベースＤＢ内の該当の結婚披露宴のテーブルＴＢ−ｍに記憶されている祝福メッセージ及び祝福画像の各組の中から投稿閲覧サイトにおいて選択されたものを探索し、探索した祝福メッセージ及び祝福画像と関連付けて識別情報ＩＤＡＬＢＭを記憶する（Ｓ１１６０）。
【００５３】
図２２は、アルバム作成事業者対応処理を示すフローチャートである。本実施形態では、披露宴支援事業者は、アルバム作成事業者に固有のＩＤとパスワードを発行している。アルバム作成事業者は、自らがアルバム作成を請け負っている結婚披露宴の祝福メッセージ及び祝福画像を取得したい場合は、自身のパーソナルコンピュータＰＣのブラウザを立ち上げ、アルバム作成管理サイトのＵＲＬへのアクセスを指示する操作を行う。
【００５４】
会場運営事業者のパーソナルコンピュータＰＣは、この操作が行われると（１２００：Ｙｅｓ）、アルバム作成者用管理サイトの閲覧を求めるメッセージを送信する（Ｓ１２１０）。このメッセージはサーバ１０に送られる。サーバ１０は、メッセージを受信すると、アルバム作成者用ログイン画面の画面データを返信する（Ｓ１２２０）。会場用ログイン画面の画面データは招待者のスマートフォンＳＭに送られる。
【００５５】
アルバム作成事業者のパーソナルコンピュータＰＣは、アルバム作成者用ログイン画面の画面データを受信すると、アルバム作成者用ログイン画面を表示する（Ｓ１２３０）。図２３に示すように、アルバム作成者用ログイン画面には、「アルバム作成者用管理画面」の文字が記されている。その下には、「ＩＤ」の文字が記されている。その下には、「パスワード」の文字が記されている。「ＩＤ」の文字の右にはＩＤ入力欄１５１がある。「パスワード」の文字の右にはパスワード入力欄１５２がある。その下には、「認証」と記したボタン１５３がある。
【００５６】
アルバム作成事業者は、自身のＩＤ及びパスワードをＩＤ入力欄１５１及びパスワード入力欄１５２に入力し、「認証」のボタン１５３を選択する。この操作が行われると（Ｓ１２４０：Ｙｅｓ）、会場運営事業者のパーソナルコンピュータＰＣは、ＩＤ入力欄１５１内のＩＤとパスワード入力欄１５２内のパスワードとを含むメッセージを送信する（Ｓ１２５０）。このメッセージはサーバ１０に送られる。サーバ１０は、メッセージを受信すると、メッセージ内のＩＤ及びパスワードがアルバム作成事業者のものと一致するか否かを判定し、メッセージ内のＩＤ及びパスワードがアルバム作成事業者のものと一致する場合（Ｓ１２６０：Ｙｅｓ）、アルバム作成者用管理サイトの画面データを返信する（Ｓ１２７０）。アルバム作成者用管理サイトの画面データはアルバム作成事業者のパーソナルコンピュータＰＣに送られる。
【００５７】
アルバム作成事業者のパーソナルコンピュータＰＣは、アルバム作成者用管理サイトの画面データを受信すると、アルバム作成者用管理サイトを表示させる（Ｓ１２８０）。図２４は、アルバム作成者用管理サイトを示す図である。アルバム作成用管理サイトには、「□□□□（□□□□はアルバム作成事業者の名称）様用  管理画面」の文字が記されている。その下には、結婚披露宴の各会場及び「詳細」と記したボタン１５５−ｈ（ｈ＝１〜Ｈ）（ｈ＝１〜Ｈ、ｈは、結婚披露宴の会場を示すインデックス、Ｈは結婚披露宴の会場の総数、図２４の例では、Ｈ＝３）の各セットを含むリスト１５３が表示されている。その下には、その下には、「ログアウト」と記したボタン１５４が表示されている。
【００５８】
アルバム作成事業者は、ボタン１５５−ｈ（ｈ＝１〜Ｈ）のうち自身がアルバム作成を請け負っている結婚披露宴の会場のものを選択する。この操作が行われると（Ｓ１２９０：Ｙｅｓ）、アルバム作成事業者のパーソナルコンピュータＰＣは、披露宴選択画面を表示させる（Ｓ１３００）。図２５に示すように、披露宴選択画面には、前画面において選択されたボタン１５５−ｈと対応する会場における開催済みの各結婚披露宴の管理情報及び「詳細」と記したボタン１５８−ｉ（ｉ＝１〜Ｉ）（ｉは、結婚披露宴を示すインデックス、Ｉは結婚披露宴の総数、図２５の例では、Ｉ＝２）が表示されている。
【００５９】
アルバム作成事業者は、ボタン１５８−ｉ（ｉ＝１〜Ｉ）のうち自身がアルバム作成を請け負っている結婚披露宴のものを選択する。この操作が行われると（Ｓ１３１０：Ｙｅｓ）、アルバム作成事業者のパーソナルコンピュータＰＣは、ダウンロード画面を表示させる（Ｓ１３２０）。図２６に示すように、ダウンロード画面における「披露宴」、「開催日」、「開催時間」、「参加人数（新郎）」、「参加人数（新婦）」、「参加人数（合計）」、および「アクセスＩＤ」の各文字の右の欄には、前画面において選択されたボタン１５８−ｉと対応する結婚披露宴の情報、識別情報ＩＤＡＬＢＭが関連付られている祝福写真の枚数（図２６の例では３５０枚）、記念アルバムの台紙の色（図２６の例ではピンク）が表示されている。その下には、「ダウンロード」と記したボタン１６０及び「キャンセル」と記したボタン１６１が表示されている。
【００６０】
アルバム作成事業者は、「ダウンロード」のボタン１６０を選択する。この操作が行われると（Ｓ１３３０：Ｙｅｓ）、アルバム作成事業者のパーソナルコンピュータＰＣは、ダウンロード画面における「アクセスＩＤ」の文字の右の識別情報ＩＤＹを含むメッセージを送信する（Ｓ１３４０）。このメッセージはサーバ１０に送られる。
【００６１】
サーバ１０は、メッセージを受信すると、検索処理を行う（Ｓ１３５０）。検索処理では、データベースＤＢ内のテーブルＴＢ−ｍのうちメッセージ内の識別情報ＩＤＹを記憶しているものを検索対象テーブルＴＢ−ｍとし、検索対象テーブルＴＢ−ｍ内における祝福メッセージ及び祝福画像の各組の中から識別情報ＩＤＡＬＢＭが関連づけられているものを検索する。
【００６２】
サーバ１０は、検索処理において検索対象テーブルＴＢ−ｍ内から検索した祝福メッセージ及び祝福画像の各組をアルバム作成事業者のパーソナルコンピュータＰＣに送信する（Ｓ１３６０）。パーソナルコンピュータＰＣは、サーバ１０から祝福メッセージ及び祝福画像の各組を受信すると、これらの組を１頁分ずつレイアウトした画像データを印刷装置ＰＲＮＴに出力する（Ｓ１３７０）。印刷装置ＰＲＮＴは、パーソナルコンピュータＰＣから供給された画像データを用紙に印刷することにより結婚披露宴の記念アルバムを生成する（Ｓ１３８０）。
【００６３】
以上が、本実施形態の構成の詳細である。本実施形態では、結婚披露宴の招待者は、ウェブサイト、電子メール、または、アプリからサーバ１０を通じて新郎新婦に祝福画像及び祝福メッセージを送ることができるようになっている。また、本実施形態では、サーバ１０に蓄積された祝福画像及び祝福メッセージが披露宴会場内のプロジェクタＰＪによりスクリーンに映し出されるようになっている。また、本実施形態では、サーバ１０に蓄積された祝福画像及び祝福メッセージのうち新郎新婦によって選択されたものを掲載した記念アルバムが自動生成されるようになっている。よって、本実施形態によると、結婚披露宴の演出効果を高めることができる。
【００６４】
以上、本発明の一実施形態について説明したが、かかる実施形態に以下の変形を加えてもよい。
（１）上記実施形態では、結婚披露宴の会場内にプロジェクタＰＪを設置し、このプロジェクタＰＪに祝福画像及び祝福メッセージを表示させた。しかし、結婚披露宴の会場内に大型液晶ディスプレイを設置し、この液晶ディスプレイに祝福画像及び祝福メッセージを表示させてもよい。
【００６５】
（２）上記実施形態では、結婚披露宴の招待者は、ウェブサイト、電子メール、およびアプリのいずれかにより祝福画像及び祝福メッセージを投稿できるようになっていた。しかし、祝福画像及び祝福メッセージをウェブサイトのみから投稿できるようにしてもよい。
【００６６】
（３）上記実施形態において、招待者は、携帯電話機から祝福画像及び祝福メッセージを送信できるようにしてもよい。
【符号の説明】
【００６７】
１…結婚披露宴支援システム、１０…サーバ、１１…通信インターフェース、１２…ＣＰＵ、１３…ＲＡＭ、１４…ＲＯＭ、１５…ハードディスク、ＳＭ…スマートフォン、ＰＣ…パーソナルコンピュータ、ＰＲＮＴ…印刷装置、ＰＪ…プロジェクタ。
【図１】
2014215725.tif 000003
【図２】
2014215725.tif 000004
【図３】
2014215725.tif 000005
【図４】
2014215725.tif 000006
【図５】
2014215725.tif 000007
【図６】
2014215725.tif 000008
【図７】
2014215725.tif 000009
【図８】
2014215725.tif 000010
【図９】
2014215725.tif 000011
【図１０】
2014215725.tif 000012
【図１１】
2014215725.tif 000013
【図１２】
2014215725.tif 000014
【図１３】
2014215725.tif 000015
【図１４】
2014215725.tif 000016
【図１５】
2014215725.tif 000017
【図１６】
2014215725.tif 000018
【図１７】
2014215725.tif 000019
【図１８】
2014215725.tif 000020
【図１９】
2014215725.tif 000021
【図２０】
2014215725.tif 000022
【図２１】
2014215725.tif 000023
【図２２】
2014215725.tif 000024
【図２３】
2014215725.tif 000025
【図２４】
2014215725.tif 000026
【図２５】
2014215725.tif 000027
【図２６】
2014215725.tif 000028